(57)【要約】【課題】少ないパラメータで推奨記録パワーの記録光波長依存性を効率的に表し、この少ないパラメータを有効に利用し、記録光波長の多少の変化に対して実用十分なレベルで記録パワーを校正できる光学的情報記録媒体を提供する。【解決手段】記録レーザが照射されることにより情報の記録が行われる光学的情報記録媒体であって、記録レーザ光波長である波長λにおける推奨記録パワーＰｏの波長依存性を示すパラメータγｐとして、γｐ＝ｄ｛ｌｏｇ（Ｐｏ）｝／ｄ｛ｌｏｇ（λ）｝により求まる当該パラメータγｐが、前記波長λｃと、該波長λｃにおける推奨記録パワーＰｏ（λｃ）とともに予め記録するようにした。【選択図】　　　　なし【特許請求の範囲】
【請求項１】
記録レーザが照射されることにより情報の記録が行われる光学的情報記録媒体であって、記録レーザ光波長である波長λにおける推奨記録パワーＰｏの波長依存性を示すパラメータγｐとして、
γｐ＝ｄ｛ｌｏｇ（Ｐｏ）｝／ｄ｛ｌｏｇ（λ）｝
により求まる当該パラメータγｐが、前記波長λｃと、該波長λｃにおける推奨記録パワーＰｏ（λｃ）とともに予め記録されていることを特徴とする光学的情報記録媒体。
【発明の詳細な説明】
【０００１】
【発明の属する技術分野】
本発明は、光ディスクなどの光学的情報記録媒体に関するものである。
【０００２】
【従来の技術】
従来、この種の技術としては、例えば、特許文献１に示されるように、光ディスク媒体の一部に推奨記録パワーに関する情報を記録しておき、この情報を光ディスクドライブで読み取り、この情報をもとに、推奨記録パワーを設定したり、推奨記録パワーを目安にして更に最適の記録パワーを校正して求める方法が知られている。
【０００３】
【特許文献１】
特開平９−１３８９４６号公報
【０００４】
【発明が解決しようとする課題】
ところが、ＣＤ−Ｒ（Ｒｅｃｏｒｄａｂｌｅ　Ｃｏｍｐａｃｔ　Ｄｉｓｃ）あるいはＤＶＤ−Ｒ（Ｒｅｃｏｒｄａｂｌｅ　ＤＶＤ　Ｄｉｓｃ）に使われている色素系のディスクは、波長が数ｎｍ変化しただけで、最適記録パワーが大きくずれてしまい、所謂、最適記録パワーの波長依存性が大きい。そのために、記録波長が少し変わっただけで、実際の最適記録パワーを光ディスクに記録してある推奨記録パワーだけからでは、正確に設定することができないという問題があった。
また、最適記録パワーの波長依存性を反映しようとすると、波長毎に最適記録パワーを表示する必要があり、多くのパラメータを備えなければならず、実用的ではなかった。
【０００５】
本発明は、上述のごとき従来技術の欠点を改善し、少ないパラメータで推奨記録パワーの記録光波長依存性を効率的に表し、この少ないパラメータを有効に利用し、記録光波長の多少の変化に対して実用十分なレベルで記録パワーを校正できる光学的情報記録媒体を提供することを目的とする。
【０００６】
【課題を解決するための手段】
請求項１の発明は、記録レーザが照射されることにより情報の記録が行われる光学的情報記録媒体であって、記録レーザ光波長である波長λにおける推奨記録パワーＰｏの波長依存性を示すγｐとして、
γｐ＝ｄ｛ｌｏｇ（Ｐｏ）｝／ｄ｛ｌｏｇ（λ）｝
により求まる、当該パラメータγｐが、前記波長λｃと、該波長λｃにおける推奨記録パワーＰｏ（λｃ）とともに予め記録されていることを特徴としたものである。
【０００７】
【発明の実施の形態】
光学的情報記録媒体における推奨記録パワー表示方法は、推奨記録パワーが次式：
Ｐｏ（λ）＝Ｐｏ（λｃ）＊（λ／λｃ）＾γｐ
ここに、
Ｐｏ（λ）：波長λにおける推奨記録パワーで波長λに依存した値を表す
λ：記録ピックアップヘッド（ＰＵＨ）の記録レーザ光波長を表し、５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γｐ：推奨記録パワーＰｏの波長依存性を表す
によって求められるように、推奨記録パワーを表すパラメータとして、少なくとも、λｃ，Ｐｏ（λｃ），γｐの値を表示するものである。
【０００８】
上記Ｐｏ（λ）の式は、明らかに、波長依存性のパラメータを１つしか含んでおらず、λの値は、通常可視光であるから８３０ｎｍないし４００ｎｍの値であり、更に、Ｐｏ（λ）が定義される波長の範囲は、５ｎｍないし５０ｎｍであるため、極めて少ない数のパラメータで効率よく波長依存性を表すことができ、記録推奨値が波長依存性を持っていても、各波長毎にＰｏの値の表示をしておく必要がなく、λｃ，Ｐｏ（λｃ），γｐの３つの値でカバーできるので表示の効率がよい。
【０００９】
また、本発明の光学的情報記録媒体は、次式によって推奨記録パワー：
Ｐｏ（λ）＝Ｐｏ（λｃ）＊（λ／λｃ）＾γｐ
ここに、
Ｐｏ（λ）：波長λにおける推奨記録パワーで波長λに依存した値を表す
λ：記録ピックアップヘッド（ＰＵＨ）の記録レーザ光波長を表し、５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γｐ：推奨記録パワーＰｏの波長依存性を表す
が求められるように、推奨記録パワーを表すパラメータとして、少なくとも、λｃ，Ｐｏ（λｃ），γｐ値が光学的情報記録媒体の一部に記録されている。
【００１０】
波長依存性を含んだ推奨記録パワーを表すパラメータが効率的に光学的情報記録媒体に記録されているので、これらのパラメータを記録するために記録媒体の情報を余分に消費することなく、また、これらのパラメータは、光学的情報記録再生装置で読み取ることができるので、光学的情報記録再生装置のレーザ光源の波長が多少λｃの値と異なっていても、読み取った情報を基に正確な記録パワーの設定が可能になる。
【００１１】
また、光学的情報記録再生方法は、本発明の光学的情報記録媒体より、推奨記録パワーを表すパラメータとして、少なくとも、λｃ，Ｐｏ（λｃ），γｐの値を読み取り、その情報に基づいて記録パワーの設定を行う。
【００１２】
この光学的情報記録媒体に記録された推奨記録パワーを表すパラメータλｃ，Ｐｏ（λｃ），γｐ値は、光学的情報記録再生装置で読み取ることができるので、光学的情報記録再生装置のレーザ光源の波長が多少λｃの値と異なっていても、読み取った情報を基に正確な記録パワーの設定が可能になる。
【００１３】
また、光学的情報記録装置は、本発明の光学的情報記録媒体より、推奨記録パワーを表すパラメータとして、少なくとも、λｃ，Ｐｏ（λｃ），γｐの値を読み取り、その情報に基づいて記録パワーの設定を行う。
【００１４】
また、本発明の光学的情報記録媒体に記録された推奨記録パワーを表すパラメータλｃ，Ｐｏ（λｃ），γｐの値は、光学的情報記録再生装置で読み取ることができるので、光学的情報記録再生装置のレーザ光源の波長が多少λｃの値と異なっていても、読み取った情報を基に正確な記録パワーの設定が可能であるので、このような構成の光学的記録再生装置の記録動作の信頼性を高くすることができる。
【００１５】
次に、本発明の実施例を説明する。Ｐｏを推奨記録パワーとし、光学的情報記録装置の記録光波長λに対する依存性を考慮し、次式：
Ｐｏ（λ）＝Ｐｏ（λｃ）＊（λ／λｃ）＾γｐ
ここに、
Ｐｏ（λ）：波長λにおける推奨記録パワーで波長λに依存した値を表す
λ：記録ピックアップヘッド（ＰＵＨ）の記録レーザ光波長を表し、一例として６３０ｎｍないし６５５ｎｍの範囲で定義される
λｃ：前記波長λの範囲の一つの光波長を表す
Ｐｏ（λｃ）：前記波長λｃにおける推奨記録パワー値を表す
＾：“＾”はべき乗演算を表す
γｐ：推奨記録パワーＰｏの波長依存性を表す
を適用すると、波長λの値が６３０ｎｍないし６５５ｎｍの狭い範囲であれば、γｐの値は、次の式で近似できるので、Ｐｏとλの関係から両対数のグラフの傾きとして容易にγｐの値を求めることができる。
γｐ＝ｄ｛ｌｏｇ（Ｐｏ）｝／ｄ｛ｌｏｇ（λ）｝
【００１６】
Ｐｏ（λ１）とＰｏ（λ２）が、λ１（６３０ｎｍ〜６４０ｎｍ）とλ２（６４５ｎｍ〜６５５ｎｍ）にそれぞれ対応して既知のとき、γｐの値は、更に次の式で近似的に与えられるので、簡単な代数演算により容易に求めることができる。
γｐ＝［｛Ｐｏ（λ２）−Ｐｏ（λ１）｝／｛Ｐｏ（λ２）＋Ｐｏ（λ１）｝＊２］／｛（λ２−λ１）／（λ２＋λ１）＊２｝，
光学的情報記録媒体の光吸収率Ａｂｓ（λ１）とＡｂｓ（λ２）が、λ１（６３０ｎｍ〜６４０ｎｍ）とλ２（６４５ｎｍ〜６５５ｎｍ）にそれぞれ対応して既知でかつ更にＰｏ（λ１）が１／Ａｂｓ（λ）に比例しているとみなせるとき、γｐの値は、次の式で近似的に与えられるので、簡単な代数演算により容易に求めることができる。
γｐ＝［｛Ａｂｓ（λ１）−Ａｂｓ（λ２）｝／｛Ａｂｓ（λ１）＋Ａｂｓ（λ２）｝＊２］／｛（λ２−λ１）／（λ２＋λ１）＊２｝
【００１７】
表１及び図１は、波長依存性パラメータの値γｐが０（波長依存性が全くないとき）から３０（波長依存性が大きいとき）の値を取ったときの推奨記録パワーＰｏの波長依存性の例を示す。ここで、Ｐｏの値は、波長６３５ｎｍのとき１０ｍＷに揃えている。
【００１８】
【表１】
2004047065.tif 000002
【００１９】
【発明の効果】
本発明の光学的情報記録媒体において、次式によって推奨記録パワー：
Ｐｏ（λ）＝Ｐｏ（λｃ）＊（λ／λｃ）＾γｐ
ここに、
Ｐｏ（λ）：波長λにおける推奨記録パワーで波長λに依存した値を表す
λ：記録ピックアップヘッド（ＰＵＨ）の記録レーザ光波長を表し、５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γｐ：推奨記録パワーＰｏの波長依存性を表す
が求められるように、推奨記録パワーを表すパラメータとして、少なくとも、λｃ，Ｐｏ（λｃ），γｐ値が光学的情報記録媒体の一部に記録されており、波長依存性を含んだ推奨記録パワーを表すパラメータが効率的に光学的情報記録媒体に記録されているので、これらのパラメータを記録するために記録媒体の情報を余分に消費することなく、また、これらのパラメータは、光学的情報記録再生装置で読み取ることができるので、光学的情報記録再生装置のレーザ光源の波長が多少λｃの値と異なっていても、読み取った情報を基に正確な記録パワーの設定が可能になる。
【図面の簡単な説明】
【図１】波長依存性パラメータの値γｐが０（波長依存性が全くないとき）から３０（波長依存性が大きいとき）の値を取ったときの推奨記録パワーＰｏの波長依存性の例を示すものである。
【図１】
2004047065.tif 000003
【手続補正書】
【提出日】平成15年6月25日(2003.6.25)
【手続補正２】
【補正対象書類名】明細書
【補正対象項目名】特許請求の範囲
【補正方法】変更
【補正の内容】
【特許請求の範囲】
【請求項１】
記録レーザが照射されることにより情報の記録が行われる光学的情報記録媒体であって、記録レーザ光波長である波長λにおける推奨記録パワーＰｏの波長依存性を示すパラメータγｐとして、
γｐ＝ｄ｛ｌｏｇ（Ｐｏ）｝／ｄ｛ｌｏｇ（λ）｝
により求まる当該パラメータγｐが、前記波長λｃと、該波長λｃにおける推奨記録パワーＰｏ（λｃ）とともに予め記録されていることを特徴とする光学的情報記録媒体。
【請求項２】
請求項１に記載の光学的情報記録媒体から、推奨記録パワーを表すパラメータとして、少なくともλｃ、Ｐｏ（λｃ）、γｐの値を読み取り、それらの情報に基づいて、記録パワーの設定を行うことを特徴とする光学的情報記録方法。
【請求項３】
請求項１に記載の光学的情報記録媒体から、推奨記録パワーを表すパラメータとして、少なくともλｃ、Ｐｏ（λｃ）、γｐの値を読み取り、それらの情報に基づいて、記録パワーの設定を行うことを特徴とする光学的情報再生装置。
【手続補正３】
【補正対象書類名】明細書
【補正対象項目名】０００１
【補正方法】変更
【補正の内容】
【０００１】
【発明の属する技術分野】
本発明は、光ディスクなどの光学的情報記録媒体、光学的情報記録方法および光学的情報再生装置に関するものである。


【手続補正４】
【補正対象書類名】明細書
【補正対象項目名】０００５
【補正方法】変更
【補正の内容】
【０００５】
本発明は、上述のごとき従来技術の欠点を改善し、少ないパラメータで推奨記録パワーの記録光波長依存性を効率的に表し、この少ないパラメータを有効に利用し、記録光波長の多少の変化に対して実用十分なレベルで記録パワーを校正できる光学的情報記録媒体、光学的情報記録方法および光学的情報再生装置を提供することを目的とする。


【手続補正５】
【補正対象書類名】明細書
【補正対象項目名】０００６
【補正方法】変更
【補正の内容】
【０００６】
【課題を解決するための手段】
請求項１の光学的情報記録媒体の発明は、記録レーザが照射されることにより情報の記録が行われる光学的情報記録媒体であって、記録レーザ光波長である波長λにおける推奨記録パワーＰｏの波長依存性を示すγｐとして、
γｐ＝ｄ｛ｌｏｇ（Ｐｏ）｝／ｄ｛ｌｏｇ（λ）｝
により求まる、当該パラメータγｐが、前記波長λｃと、該波長λｃにおける推奨記録パワーＰｏ（λｃ）とともに予め記録されていることを特徴としたものである。
また、請求項２の光学的情報記録方法の発明は、請求項１に記載の光学的情報記録媒体から、推奨記録パワーを表すパラメータとして、少なくともλｃ、Ｐｏ（λｃ）、γｐの値を読み取り、それらの情報に基づいて、記録パワーの設定を行うことを特徴としたものである。
また、請求項３の光学的情報再生装置の発明は、請求項１に記載の光学的情報記録媒体から、推奨記録パワーを表すパラメータとして、少なくともλｃ、Ｐｏ（λｃ）、γｐの値を読み取り、それらの情報に基づいて、記録パワーの設定を行うことを特徴としたものである。